【手続補正書】
【提出日】平成26年6月26日(2014.6.26)
【手続補正１】
【補正対象書類名】特許請求の範囲
【補正対象項目名】全文
【補正方法】変更
【補正の内容】
【特許請求の範囲】
【請求項１】
分析デバイス（ＬＳ１、ＬＳ２、ＴＳ１、ＭＣＵ）と結合されている、少なくとも１つの第１の電極（Ｅ１）と、少なくとも１つの第２の電極（Ｅ２）とを含むセンサデバイスであって、
前記少なくとも１つの第１の電極（Ｅ１）は、第１の動作モード（ＴＭ）において動作させられるように構成され、前記第１の動作モード（ＴＭ）において、前記少なくとも１つの第１の電極（Ｅ１）が、受信電極として動作し、
前記少なくとも１つの第２の電極（Ｅ２）は、前記第１の動作モード（ＴＭ）および第２の動作モード（ＬＭ）において動作させられるように構成され、前記第１の動作モード（ＴＭ）において、前記少なくとも１つの第２の電極（Ｅ２）が、伝送電極として動作し、前記第２の動作モード（ＬＭ）において、前記少なくとも１つの第２の電極（Ｅ２）が、組み合わせられた伝送および受信電極として動作し、
前記第１の動作モード（ＴＭ）において、前記少なくとも１つの第１の電極（Ｅ１）と前記少なくとも１つの第２の電極（Ｅ２）との間の容量結合は、前記分析デバイス（ＴＳ１、ＭＣＵ）によって分析され、
前記第２の動作モード（ＬＭ）において、基準接地（ＤＥＶＧＮＤ）に対する前記少なくとも１つの第２の電極（Ｅ２）の容量負荷は、前記分析デバイス（ＬＳ２、ＭＣＵ）によって分析される、センサデバイス。
【請求項２】
前記少なくとも１つの第１の電極（Ｅ１）は、前記第２の動作モード（ＬＭ）において動作させられるようにさらに構成され、前記第２の動作モード（ＬＭ）において、前記少なくとも１つの第１の電極（Ｅ１）が、組み合わせられた伝送および受信電極として動作し、前記第２の動作モード（ＬＭ）において、さらに、基準接地（ＤＥＶＧＮＤ）に対する前記少なくとも１つの第１の電極（Ｅ１）の容量負荷は、前記分析デバイス（ＬＳ１、ＭＣＵ）によって分析される、請求項１に記載のセンサデバイス。
【請求項３】
電気交流信号は、前記第１の動作モード（ＴＭ）および前記第２の動作モード（ＬＭ）において、前記第２の電極（Ｅ２）に印加され、前記第１の電極（Ｅ１）と前記第２の電極（Ｅ２）との間の容量結合は、前記第１の電極（Ｅ１）内を流れる電流によって表される、請求項１または２に記載のセンサデバイス。
【請求項４】
前記分析デバイスは、前記第１の動作モード（ＴＭ）および前記第２の動作モード（ＬＭ）の各々において、それぞれ、前記第１の電極（Ｅ１）と前記第２の電極（Ｅ２）との間の容量結合、あるいは、前記第１の電極（Ｅ１）および／または前記第２の電極（Ｅ２）の容量負荷を表す、センサ信号を提供するように構成される、請求項１から３のいずれかに記載のセンサデバイス。
【請求項５】
第３の電極（Ｋ１）をさらに含み、前記第２の電極（Ｅ２）に印加される交流電気信号の位相および／または振幅と異なる位相および／または振幅を有する交流電気信号が、前記第３の電極（Ｋ１）に印加される、請求項１から４のいずれかに記載のセンサデバイス。
【請求項６】
第３の電極（Ｋ１）および第４の電極（Ｋ２）をさらに含み、前記第３の電極（Ｋ１）および前記第４の電極（Ｋ２）のそれぞれは、交流電気信号を受信し、前記第３の電極（Ｋ１）は、前記第１の電極（Ｅ１）との容量結合を提供するように配設され、前記第４の電極（Ｋ２）は、前記第２の電極（Ｅ２）との容量結合を提供するように配設され、前記センサデバイスは、第３の動作モード（ＫＭ）において動作させられ、前記第１の電極（Ｅ１）と前記第３の電極（Ｋ１）との間および前記第２の電極（Ｅ２）と前記第４の電極（Ｋ２）との間の容量結合は、前記分析デバイスによって分析される、請求項１から４のいずれかに記載のセンサデバイス。
【請求項７】
請求項１から６のいずれかに記載の少なくとも１つのセンサデバイスを含む、携帯デバイス（Ｇ）。
【請求項８】
前記第１の電極（Ｅ１）および前記第２の電極（Ｅ２）は、前記携帯デバイスを片手で把持するとき、少なくとも部分的に、手で覆われるように、前記携帯デバイス上で相互に対して配設される、請求項７に記載の携帯デバイス。
【請求項９】
前記第１の電極（Ｅ１）および前記第２の電極（Ｅ２）は、相互に面して、２つの壁に、好ましくは、相互に面して、前記携帯デバイスの筐体の２つの側壁に、配設される、請求項８に記載の携帯デバイス。
【請求項１０】
前記携帯デバイスは、コンピュータマウス、デバイスのための遠隔制御、デジタルカメラ、およびゲームコントローラのうちの少なくとも１つを含む、請求項７から９のいずれかに記載の携帯デバイス。
【請求項１１】
第１の電極（Ｅ１）および第２の電極（Ｅ２）を伴い、特に、請求項１から６のいずれかに記載のセンサデバイスを伴う携帯デバイス（Ｇ）の把持の検出のための方法であって、前記方法は、少なくとも、
交流電気信号を前記第２の電極（Ｅ２）に印加するステップであって、交流電場が、前記第２の電極（Ｅ２）から放出される、ステップと、
第１の動作モード（ＴＭ）において、前記第１の電極（Ｅ１）において受信された信号を測定することによって前記第１の電極（Ｅ１）と前記第２の電極（Ｅ２）との間の容量結合を測定し、第１の測定信号（Ｔ）を提供するステップと、
第２の動作モード（ＬＭ）において、前記第２の電極（Ｅ２）に印加された信号を測定することによって基準接地（ＤＥＶＧＮＤ）に対する前記第２の電極（Ｅ２）の容量負荷を測定し、第２の測定信号（Ｌ１、Ｌ２）を提供するステップと
を含み、
前記測定信号は、前記手での前記携帯デバイスの把持を示す、方法。
【請求項１２】
前記第２の動作モードにおいて、交流電気信号が、前記第１の電極（Ｅ１）に印加され、交流電場が、前記第１の電極（Ｅ１）から放出され、前記第１の電極（Ｅ１）の容量負荷は、前記第１の電極（Ｅ２）に印加された信号を測定することによって測定される、請求項１〜６のいずれかに記載のセンサデバイスまたは請求項１１に記載の方法。
【請求項１３】
前記第１の動作モードにおいて、前記第２の電極（Ｅ２）に印加される交流電気信号の振幅は、前記第２の動作モード（ＬＭ）において決定される前記電極の容量負荷に応じて調節される、請求項１〜６または１２のいずれかに記載のセンサデバイスまたは請求項１１または１２に記載の方法。
【請求項１４】
前記第２の測定信号は、前記第１の動作モード（ＴＭ）において、前記センサデバイスの感度を調節するために使用される、請求項１１から１３のいずれかに記載の方法。
【請求項１５】
交流電気信号は、前記第１の動作モードにおいて、第１の補償電極（Ｋ１）に印加される、請求項１１から１４のいずれかに記載の方法。
【請求項１６】
前記第１の補償電極に印加される交流電気信号は、前記第１の電極（Ｅ１）に印加される交流電気信号の位相および／または振幅と異なる位相および／または振幅を有する、請求項１５に記載の方法。
【請求項１７】
交流電気信号は、前記第１の補償電極（Ｋ１）が、前記第１の電極（Ｅ１）との容量結合がもたらされることができ、前記第２の補償電極（Ｋ２）が、前記第２の電極（Ｅ２）との容量結合がもたらされることができるように、前記第１の補償電極（Ｋ１）の１つおよび前記第２の補償電極（Ｋ２）の１つのそれぞれに印加され、前記センサデバイスは、第３の動作モード（ＫＭ）において動作させられ、前記第１の電極（Ｅ１）と前記第１の補償電極（Ｋ１）との間および前記第２の電極（Ｅ２）と前記第２の補償電極（Ｋ２）との間の容量結合は、前記分析デバイスによって分析される、請求項１１から１６のいずれかに記載の方法。
【手続補正２】
【補正対象書類名】明細書
【補正対象項目名】００２４
【補正方法】変更
【補正の内容】
【００２４】
第２の測定信号は、第１の動作モードにおいて、センサデバイスの感度を調節するために使用することができる。
本願明細書は、例えば、以下の項目も提供する。
（項目１）
分析デバイス（ＬＳ１、ＬＳ２、ＴＳ１、ＭＣＵ）と結合されている、少なくとも１つの第１の電極（Ｅ１）と、少なくとも１つの第２の電極（Ｅ２）とを含む、センサデバイスであって、
前記少なくとも１つの第１の電極（Ｅ１）は、第１の動作モード（ＴＭ）において動作することができ、
前記少なくとも１つの第２の電極（Ｅ２）は、前記第１の動作モード（ＴＭ）および第２の動作モード（ＬＭ）において動作することができ、
前記第１の動作モード（ＴＭ）では、前記少なくとも１つの第１の電極（Ｅ１）と前記少なくとも１つの第２の電極（Ｅ２）との間の容量結合は、前記分析デバイス（ＴＳ１、ＭＣＵ）によって、分析することができ、
前記第２の動作モード（ＬＭ）では、基準接地（ＤＥＶＧＮＤ）に対する前記少なくとも１つの第２の電極（Ｅ２）の容量負荷は、前記分析デバイス（ＬＳ１、ＬＳ２、ＭＣＵ）によって、分析することができる、
センサデバイス。
（項目２）
前記少なくとも１つの第１の電極（Ｅ１）は、前記第２の動作モード（ＬＭ）において動作することができる、項目１に記載のセンサデバイス。
（項目３）
電気交流信号は、前記第１の動作モード（ＴＭ）および前記第２の動作モード（ＬＭ）において、前記第２の電極（Ｅ２）に印加することができ、前記第１の電極（Ｅ１）と前記第２の電極（Ｅ２）との間の容量結合は、前記第１の電極（Ｅ１）内を流れる電流によって表される、項目１または２に記載のセンサデバイス。
（項目４）
交流電気信号は、前記第２の動作モード（ＬＭ）において、前記第１の電極（Ｅ１）に印加することができ、基準接地に対する前記少なくとも１つの第１の電極（Ｅ１）の容量負荷は、前記分析デバイスによって、分析することができる、項目２または３に記載のセンサデバイス。
（項目５）
前記分析デバイスは、前記第１の動作モード（ＴＭ）および前記第２の動作モード（ＬＭ）の各々において、それぞれ、前記第１の電極（Ｅ１）と前記第２の電極（Ｅ２）との間の容量結合、あるいは、前記第１の電極（Ｅ１）および／または前記第２の電極（Ｅ２）の容量負荷を表す、センサ信号を提供するように構成される、項目１から４のいずれかに記載のセンサデバイス。
（項目６）
前記センサデバイスは、前記第１の動作モード（ＴＭ）および前記第２の動作モード（ＬＭ）において、連続して動作することができる、項目１から５のいずれかに記載のセンサデバイス。
（項目７）
前記センサデバイスは、前記第１の動作モード（ＴＭ）および前記第２の動作モード（ＬＭ）において、並行して動作することができる、項目１から５のいずれかに記載のセンサデバイス。
（項目８）
前記第２の動作モード（ＬＭ）において分析されるべき容量負荷は、前記第１の動作モード（ＴＭ）において、前記センサデバイスの感度を調節するための基準値として使用することができる、項目１から７のいずれかに記載のセンサデバイス。
（項目９）
第３の電極（Ｋ１）をさらに含み、前記第２の電極（Ｅ２）に印加される交流電気信号の位相および／または振幅と異なる位相および／または振幅を有する、交流電気信号を前記第３の電極（Ｋ１）に印加することができる、項目１から８のいずれかに記載のセンサデバイス。
（項目１０）
第３の電極（Ｋ１）および第４の電極（Ｋ２）をさらに含み、前記第３の電極（Ｋ１）および第４の電極（Ｋ２）は、それぞれ、それらに印加される交流電気信号を有し、前記第３の電極（Ｋ１）は、前記第１の電極（Ｅ１）との容量結合がもたらされることができ、前記第４の電極（Ｋ２）は、前記第２の電極（Ｅ２）との容量結合がもたらされることができ、前記センサデバイスは、第３の動作モード（ＫＭ）において動作することができ、前記第１の電極（Ｅ１）と前記第３の電極（Ｋ１）との間および前記第２の電極（Ｅ２）と前記第４の電極（Ｋ２）との間の容量結合は、前記分析デバイスによって、分析することができる、項目１から８のいずれかに記載のセンサデバイス。
（項目１１）
項目１から１０のいずれかに記載の少なくとも１つのセンサデバイスを含む、携帯デバイス（Ｇ）。
（項目１２）
前記第１の電極（Ｅ１）および前記第２の電極（Ｅ２）は、前記携帯デバイスを片手で把持するとき、少なくとも部分的に、手で覆われるように、前記携帯デバイス上で相互に対して配設される、項目１１に記載の携帯デバイス。
（項目１３）
前記第１の電極（Ｅ１）および前記第２の電極（Ｅ２）は、相互に面して、２つの壁に、好ましくは、相互に面して、前記携帯デバイスの筐体の２つの側壁に、配設される、項目１２に記載の携帯デバイス。
（項目１４）
前記携帯デバイスは、コンピュータマウス、デバイスのための遠隔制御、デジタルカメラ、およびゲームコントローラのうちの少なくとも１つを含む、項目１１から１３のいずれかに記載の携帯デバイス。
（項目１５）
第１の電極（Ｅ１）および第２の電極（Ｅ２）を伴う、特に、項目１から１０のいずれかに記載のセンサデバイスを伴う、携帯デバイス（Ｇ）の片手での把持の検出のための方法であって、少なくとも、
交流電場を放出するように、交流電気信号を前記第２の電極（Ｅ２）に印加するステップと、
第１の動作モード（ＴＭ）において、前記第１の電極（Ｅ１）と前記第２の電極（Ｅ２）との間の容量結合を測定し、第１の測定信号（Ｔ）を提供するステップと、
第２の動作モード（ＬＭ）において、基準接地（ＤＥＶＧＮＤ）に対する前記第２の電極（Ｅ２）の容量負荷を測定し、第２の測定信号（Ｌ１、Ｌ２）を提供するステップと
を含み、
前記測定信号は、前記手での前記携帯デバイスの把持を示す、方法。
（項目１６）
交流電場を放出し、前記第１の電極（Ｅ１）の容量負荷が測定されるように、前記第２の動作モードにおいて、交流電気信号が、前記第１の電極（Ｅ１）に印加される、項目１５に記載の方法。
（項目１７）
前記第１の動作モードにおいて、前記第２の電極（Ｅ２）に印加される交流電気信号の振幅は、前記第２の動作モードにおける、前記電極の容量負荷に応じて、調節される、項目１５または１６に記載の方法。
（項目１８）
測定ステップは、並行または連続して行われる、項目１５から１７のいずれかに記載の方法。
（項目１９）
前記第２の測定信号は、前記第１の動作モード（ＴＭ）において、前記センサデバイスの感度を調節するために使用される、項目１５から１８のいずれかに記載の方法。
（項目２０）
交流電気信号は、前記第１の動作モードにおいて、第１の補償電極（Ｋ１）の１つに印加される、項目１５から１９のいずれかに記載の方法。
（項目２１）
前記第１の補償電極に印加される交流電気信号は、前記前記第１の電極（Ｅ１）に印加される交流電気信号の位相および／または振幅と異なる位相および／または振幅を有する、項目２０に記載の方法。
（項目２２）
交流電気信号は、前記第１の補償電極（Ｋ１）が、前記第１の電極（Ｅ１）との容量結合がもたらされることができ、前記第２の補償電極（Ｋ２）が、前記第２の電極（Ｅ２）との容量結合がもたらされることができるように、前記第１の補償電極（Ｋ１）の１つおよび前記第２の補償電極（Ｋ２）の１つのそれぞれに印加され、前記センサデバイスは、第３の動作モード（ＫＭ）において動作され、前記第１の電極（Ｅ１）と前記第１の補償電極（Ｋ１）との間および前記第２の電極（Ｅ２）と前記第２の補償電極（Ｋ２）との間の容量結合は、前記分析デバイスによって、分析される、項目１５から１９のいずれかに記載の方法。